(57)【要約】【課題】  本発明の目的は、ワイパピボットのシール性を向上することができると共に、リンク機構およびワイパピボットにおけるレイアウトの自由度を高めることが可能なワイパピボットを提供することにある。【解決手段】  本発明は、防水キャップ６１を備えたワイパピボット４０に関する。防水キャップ６１は、ピボット軸４１に固定されピボット軸４１と共に回動する。防水キャップ６１には、傘部６３からピボット軸４１の軸方向に沿ってピボットレバー４２側へ延出する筒状の排水パイプ６５が形成されている。ピボットレバー４２には、連結孔４２ｂが形成され、排水パイプ６５には、鉤状の連結部６６，６７が形成されている。排水パイプ６５は、連結部６６，６７が連結孔４２ｂに係合されたことによってピボットレバー４２に連結され、ピボットレバー４２と共にピボット軸４１の軸線回りを移動する構成である。【選択図】  図２
2005324710.tif 000002
【特許請求の範囲】
【請求項１】
車体に形成されたピボット孔より外部に突出された先端部にワイパが連結されると共に、後端部にピボットレバーが固定されたピボット軸と、
前記車体に固定され、前記ピボット軸を回動自在に支持するピボットホルダと、
前記ピボット孔の鉛直下方に配置された防水キャップと、を備えたワイパピボットにおいて、
前記防水キャップは、前記ピボット軸の外周面に固定された固定部と、
該固定部から径方向外側に向けて延出し前記ピボット孔側に開口を有する凹状体により構成されると共に、該凹状体の底壁に排水口が形成されてなる傘部と、
該傘部から前記ピボット軸の軸方向に沿って前記ピボットレバー側へ延出すると共に、前記排水口と連通する排水路を備えてなる筒状の排水パイプと、を有し、
前記排水パイプは、連結手段によって前記ピボットレバーに連結されてなることを特徴とするワイパピボット。
【請求項２】
前記排水路は、前記ピボットレバーよりも鉛直下方位置にて開口されていることを特徴とする請求項１に記載のワイパピボット。
【請求項３】
前記連結手段は、前記ピボットレバーに形成され前記ピボット軸の軸線と平行な軸線上に開口を有する連結孔又は連結凹部と、
前記排水パイプに設けられ前記連結孔又は前記連結凹部に係合される鉤状の連結部と、により構成され、
前記排水パイプは、前記連結孔又は前記連結凹部に前記連結部が係合されたことによって前記ピボットレバーに連結されたことを特徴とする請求項１に記載のワイパピボット。
【請求項４】
前記連結手段は、前記ピボットレバーに形成され前記ピボット軸の軸線と平行な軸線上に開口を有すると共に前記排水パイプが挿入可能な連結孔により構成され、
前記排水パイプは、前記連結孔に挿入されたことによって前記ピボットレバーに連結されたことを特徴とする請求項１に記載のワイパピボット。
【請求項５】
前記防水キャップは、着色された樹脂材料からなることを特徴とする請求項１に記載のワイパピボット。
【請求項６】
ワイパモータと、該ワイパモータの出力を伝達するリンク機構と、該リンク機構に連結された複数のワイパピボットと、該複数のワイパピボットを連結すると共に前記ワイパモータが直接又は間接的に固定支持されたフレームと、前記ワイパピボットに連結されたワイパと、を備えたモジュール型ワイパ装置において、
前記ワイパピボットに、請求項１乃至請求項５のいずれか一項に記載のワイパピボットを用いたことを特徴とするモジュール型ワイパ装置。
【発明の詳細な説明】
【技術分野】
【０００１】
本発明は、ワイパピボットおよびワイパ装置に係り、特に防水キャップを備えたワイパピボットおよびこれを用いたモジュール型ワイパ装置に関する。
【背景技術】
【０００２】
従来から、ウィンドシールドガラス等を払拭する車両用ワイパ装置を備えた車両においては、車体のカウルトップパネル等にピボット軸を挿通するためのピボット孔が形成されている。従って、雨天時や洗車時等にピボット孔から水が侵入し、この浸入した水がワイパモータやリンク機構の連結部（例えば、ボールジョイント部）等へ飛散したり、ピボットホルダの軸受とピボット軸との間に入り込んだりする虞がある。そこで、雨天時や洗車時等にピボット孔から浸入した水がワイパモータやリンク機構の連結部（例えば、ボールジョイント部）等へ飛散したり、ピボットホルダの軸受とピボット軸との間に入り込んだりすることを防止するために、ピボット孔の鉛直下方に防水キャップを備えたワイパピボットが提案されている（例えば、特許文献１参照）。
【０００３】
特許文献１に記載の例では、防水キャップに、ピボット軸が圧入されるピボット嵌合部と、ピボット嵌合部の半径方向外側に形成され軸受の上端面を覆う軸受端面シール部と、軸受端面シール部の半径方向外側に形成されピボット軸の外周を囲むように形成された環状の溝部が設けられている。環状の溝部には、排水口が形成されており、溝部に捕捉した水を排水口から下方へ向けて排出することが可能となっている。
【０００４】
ところが、特許文献１に記載の例では、ピボット軸に対する防水キャップの位置決めを容易にするために、排水口が溝部の円周方向に離間した複数箇所に設けられている。また、防水キャップのピボット嵌合部にピボット軸が圧入され、防水キャップがピボット軸と共に回動する構成となっている。従って、特許文献１に記載の例では、ワイパ装置の作動によりピボット軸と共に防水キャップが回動したときに、溝部に捕捉された水が排水口から下方へ向けて撒き散らされてしまい、排水口の下方に位置するワイパモータやリンク機構の連結部（例えば、ボールジョイント部）等に水がかかってしまうという不具合がある。
【０００５】
そこで、このような不具合を解消するために、ピボットホルダに固定される筒状の筒部と、筒部から径方向外側に向けて延出し排水口を備える傘部と、排水口を囲繞し傘部から軸方向下側（ピボットレバー側）へ延出する排水パイプを備えた防水キャップが提案されている（例えば、特許文献２参照）。特許文献２に記載の例によれば、ピボット孔から滴下した水を傘部にて受け止めることができ、この傘部にて受け止めた水を排水パイプにより下方へ案内してから排出することが可能である。また、ピボット軸が回動しても防水キャップが回動しないため、溝部で捕捉した水が遠心力によって撒き散らされることを防止することが可能である。
【特許文献１】特開２０００−８５５４１（第２−４頁、図２−図５）
【特許文献２】特開２００４−８２７５６（第５−８頁、図１、図４）
【発明の開示】
【発明が解決しようとする課題】
【０００６】
特許文献２に記載の例では、排水口から下方へ向けて延出する排水パイプを備えているので、ワイパピボットのシール性を向上させることが可能である。しかしながら、ピボットホルダに防水キャップが固定される構成であるため、ピボットレバーの揺動時に排水パイプとピボットレバーが干渉しないようにする必要がある。このため、特許文献２に記載の例では、排水パイプにピボットレバーが干渉しないように、排水パイプのピボット軸を挟んだ反対側にピボットレバーを位置させている。このように、特許文献２に記載の例では、防水キャップの排水パイプをピボットレバーの揺動範囲から確実に避けた位置に配置する必要があり、ワイパピボットにおけるレイアウト上の制約を受けるという不具合がある。
【０００７】
本発明は、上記事情に鑑みてなされたものであって、その目的は、防水キャップを備えたワイパピボットおよびこれを用いたモジュール型ワイパ装置において、ワイパピボットのシール性を向上させることができると共に、リンク機構およびワイパピボットにおけるレイアウトの自由度を高めることが可能なワイパピボットおよびモジュール型ワイパ装置を提供することにある。
【課題を解決するための手段】
【０００８】
前記課題は、本発明のワイパピボットによれば、車体に形成されたピボット孔より外部に突出された先端部にワイパが連結されると共に、後端部にピボットレバーが固定されたピボット軸と、前記車体に固定され、前記ピボット軸を回動自在に支持するピボットホルダと、前記ピボット孔の鉛直下方に配置された防水キャップと、を備えたワイパピボットにおいて、前記防水キャップは、前記ピボット軸の外周面に固定された固定部と、該固定部から径方向外側に向けて延出し前記ピボット孔側に開口を有する凹状体により構成されると共に、該凹状体の底壁に排水口が形成されてなる傘部と、該傘部から前記ピボット軸の軸方向に沿って前記ピボットレバー側へ延出すると共に、前記排水口と連通する排水路を備えてなる筒状の排水パイプと、を有し、前記排水パイプは、連結手段によって前記ピボットレバーに連結されてなること、により解決される。
【０００９】
このように、本発明のワイパピボットによれば、防水キャップに形成された固定部がピボット軸の外周面に固定されているので、排水パイプを含む防水キャップ全体をピボット軸の往復回動に伴ってピボット軸の軸線回りに往復回動させることができる。しかも、排水パイプが連結手段によってピボットレバーに連結されているので、ピボット軸および防水キャップの往復回動に伴って、排水パイプをピボットレバーと共にピボット軸の軸線回りに移動させることができる。従って、ピボット軸の往復回動時に排水パイプがピボットレバーと干渉することを確実に防止することができるので、従来のように、排水パイプをピボットレバーの揺動範囲から避けた位置に配置するなどの制約がない。これにより、例えば、排水パイプをピボットレバーの近傍等に配置するなど、リンク機構およびワイパピボットの配置構成やピボットレバーの往復回動範囲などを自由に決めることが可能となるので、リンク機構およびワイパピボットのレイアウト上の自由度を従来に比して高めることが可能となる。
【００１０】
また、排水パイプがピボットレバーに連結されピボットレバーと共にピボット軸の軸線回りを移動するので、傘部によって集められた水を、回動するピボットレバーを常に避けて排出させることが可能となる。従って、ワイパピボットのシール性も十分に確保することが可能である。さらに、傘部で集められた水が排水口から直接的に排出されるのではなく、排水パイプによってピボット軸の軸方向下方にまで案内された後に排水パイプの出口から排出されるので、ワイパモータやリンク機構の連結部（例えば、ボールジョイント部）などへの飛水を防止することが可能となる。
【００１１】
ここで、請求項２に記載のように、前記ワイパピボットにおいて、排水路がピボットレバーよりも鉛直下方位置にて開口されていると、排水パイプから排出された水がピボットレバーに被ったり、ピボット軸とピボットホルダとの間に浸入したりすることを防止することが可能となる。これにより、例えば、ピボットレバーのリンク機構との連結部に塗布されたグリースの流出やピボットホルダの軸受部に錆が発生することなどを確実に防止することが可能となる。
【００１２】
また、請求項３に記載のように、連結手段は、より具体的には、ピボットレバーに形成されピボット軸の軸線と平行な軸線上に開口を有する連結孔又は連結凹部と、排水パイプに設けられ連結孔又は連結凹部に係合される鉤状の連結部と、により構成され、排水パイプは、連結孔又は連結凹部に連結部が係合されたことによってピボットレバーに連結される。このように構成されていると、排水パイプに設けられた連結部をピボットレバーに形成された連結孔又は連結凹部に係合させるという非常に簡単な組み付けにより、排水パイプをピボットレバーに連結することができ好適である。
【００１３】
なお、請求項４に記載のように、連結手段は、ピボットレバーに形成されピボット軸の軸線と平行な軸線上に開口を有すると共に排水パイプが挿入可能な連結孔により構成され、排水パイプは、連結孔に挿入されたことによってピボットレバーに連結される構成であっても良い。このように構成されていると、防水キャップの固定部をピボット軸の軸線に沿ってピボット軸の外周面に固定させると同時に、排水パイプをピボットレバーに形成された連結孔に挿入させることにより、排水パイプをピボットレバーに連結することが可能となるので、排水パイプの組み付け作業を簡略化することができ好適である。
【００１４】
また、請求項５に記載のように、前記防水キャップは、より好適には、着色された樹脂材料により構成される。このとき、例えば、防水キャップを黒色やボディの色と合わせた色などとすれば、外部からピボット孔を介して防水キャップが見えたときに、防水キャップを周囲の色とマッチさせることができ、見栄えを向上させることができる。
【００１５】
そして、前記課題は、請求項６に記載のモジュール型ワイパ装置によれば、ワイパモータと、該ワイパモータの出力を伝達するリンク機構と、該リンク機構に連結された複数のワイパピボットと、該複数のワイパピボットを連結すると共に前記ワイパモータが直接又は間接的に固定支持されたフレームと、前記ワイパピボットに連結されたワイパと、を備えたモジュール型ワイパ装置において、前記ワイパピボットに、請求項１乃至請求項５のいずれか一項に記載のワイパピボットを用いたこと、により解決される。
【発明の効果】
【００１６】
本発明によれば、ピボット軸の回動時に排水パイプがピボットレバーと干渉することを確実に防止することができるので、従来のように、排水パイプをピボットレバーの揺動範囲から避けた位置に配置するなどの制約がない。これにより、例えば、排水パイプをピボットレバーの近傍等に配置するなど、リンク機構およびワイパピボットの配置構成やピボットレバーの往復回動範囲などを自由に決めることが可能となるので、リンク機構およびワイパピボットのレイアウト上の自由度を従来に比して高めることが可能となる。
【００１７】
また、本発明によれば、排水パイプがピボットレバーに連結されピボットレバーと共にピボット軸の軸線回りを移動するので、傘部によって集められた水を、回動するピボットレバーを常に避けて排出させることが可能となる。従って、ワイパピボットのシール性も十分に確保することが可能である。さらに、傘部で集められた水が排水口から直接的に排出されるのではなく、排水パイプによってピボット軸の軸方向下方にまで案内された後に排水パイプの出口から排出されるので、ワイパモータやリンク機構の連結部（例えば、ボールジョイント部）などへの飛水を防止することが可能となる。
【発明を実施するための最良の形態】
【００１８】
以下、本発明の一実施形態について、図を参照して説明する。なお、以下に説明する部材、配置等は、本発明を限定するものではなく、本発明の趣旨に沿って各種改変することができることは勿論である。
【００１９】
（第一実施形態）
図１乃至図４は本発明の第一実施形態を示す図で、図１はモジュール型ワイパ装置の概略構成を示す平面図、図２はモジュール型ワイパ装置の概略構成を示す側面断面図、図３はピボット軸およびピボットホルダの構成を示す斜視図、図４は防水キャップの構成を示す斜視図である。
【００２０】
本実施形態に係るモジュール型ワイパ装置１は、図１に示すように、例えば、自動車等の車両に設けられたフロントウィンドウ等を払拭するためのものであり、パイプフレーム１０と、ワイパモータ２０と、リンク機構３０と、ワイパピボット４０，７０と、ワイパ８０を有して構成されている。ワイパモータ２０は、モジュール型ワイパ装置１の駆動源であり、パイプフレーム１０の軸方向中央部に取付部２１を介して固定されている。リンク機構３０は、ワイパモータ２０の出力を伝達するものであり、クランクアーム３１と、リンクロッド３２，３３を有して構成されている。ワイパモータ２０の出力軸２２には、クランクアーム３１の一端が固定されており、クランクアーム３１の他端には、例えば、ボールジョイント等を介して、リンクロッド３２の一端およびリンクロッド３３の一端がそれぞれ転動自在に連結されている。リンクロッド３２の他端は、ワイパピボット４０に設けられたピボットレバー４２の揺動端に転動自在に連結され、リンクロッド３３の他端は、ワイパピボット７０に設けられたピボットレバー７２の揺動端に転動自在に連結されている。
【００２１】
ワイパピボット４０は、パイプフレーム１０の端部に固定され、図２乃至図４に示すように、ピボット軸４１と、ピボットホルダ５１と、防水キャップ６１を有して構成されている。ピボット軸４１の長手方向中央部よりも下側の基部は、ピボットホルダ５１の軸受部５２によって回動自在に支持されている。ピボット軸４１の先端部４１ａは、車体に設けられたカウルトップパネル９２に形成されたピボット孔９３より外部に突出され、ピボット軸４１の先端部４１ａには、従来公知のワイパ８０が連結されている。ピボット軸４１の後端部４１ｂには、ピボットレバー４２が固定されており、ピボットレバー４２の揺動端は、連結ピン４２ａを介してリンクロッド３２に連結されている。ピボットレバー４２には、後述する防水キャップ６１に設けられた連結部６６，６７に対応する位置に連結孔４２ｂが形成されている。この連結孔４２ｂは、ピボットレバー４２の板厚方向に貫通し、ピボット軸４１の軸線と平行な軸線上に開口を有する。
【００２２】
ピボットホルダ５１は、ピボット軸４１を回動自在に支持する筒状の軸受部５２を有して構成されている。軸受部５２には、径方向外側へ延出するフレーム連結部５３が形成されており、フレーム連結部５３は、パイプフレーム１０の端部にカシメ固定されている（図１参照）。このように、フレーム連結部５３がパイプフレーム１０に固定されることにより、ワイパピボット４０全体がパイプフレーム１０に連結されている。軸受部５２には、径方向外側へ延出する舌片状の取付片５４が一体に形成されており、この取付片５４が車体に形成された固定部９４に固着具９５を用いて固定されることにより、本例のモジュール型ワイパ装置１が車両９０に装着される。
【００２３】
防水キャップ６１は、例えば、着色樹脂（黒色の樹脂や車両ボディ色に合わせた色の顔料を混ぜて着色された樹脂等）で一体成形された部材であり、図２，図４に示すように、固定部６２と、傘部６３と、軸受シール部６４と、排水パイプ６５を有して構成されている。固定部６２は、軸方向に沿って形成された圧入孔６２ａを有する筒状体により構成されている。圧入孔６２ａの内径は、ピボット軸４１の外径よりも僅かに小さく設定されており、固定部６２の圧入孔６２ａには、ピボット軸４１の長手方向中央部よりも上側の基部が圧入されている。本例では、防水キャップ６１の圧入孔６２ａにピボット軸４１が圧入されることにより、ピボット軸４１の回動と共に防水キャップ６１が回動するようになっている。また、このようにして、防水キャップ６１がピボット軸４１に固定されることにより、防水キャップ６１がピボット孔９３の鉛直下方に配置される。
【００２４】
傘部６３は、固定部６２から径方向外側に向けて一体に延出する略円形状の底壁６３ａを有して構成されている。底壁６３ａの外径は、ピボット孔９３よりも大きく設定されている。これにより、ピボット孔９３より滴下した水を底壁６３ａにて確実に受け止めることが可能となっている。底壁６３ａは、排水パイプ６５側へ傾斜する下り斜面６３ｂを有して構成されており、この下り斜面６３ｂの最下部には、排水口６３ｃが形成されている。底壁６３ａの径方向外側端部には、ピボット軸４１の軸方向上側（ピボット孔９３側）へ向けて立設された環状の周壁６３ｄが設けられている。このように、底壁６３ａの径方向外側端部に周壁６３ｄが設けられることにより、傘部６３がピボット孔９３側に開口６３ｅを有する凹状体により構成される。
【００２５】
軸受シール部６４は、ピボットホルダ５１の軸受部５２内に水が浸入することを防止するためのものであり、傘部６３の裏側から軸方向下側（ピボットレバー４２側）へ向けて延出する環状の突条体により構成されている。軸受シール部６４の内側には、凹部６４ａが形成されており、この凹部６４ａによって軸受部５２の上端面５２ａおよび上端外周部５２ｂを遊嵌状態で覆うようになっている。すなわち、軸受シール部６４と軸受部５２との間には、僅かな隙間が形成されており、これにより、軸受シール部６４に軸受部５２が遊嵌される構成となっている。
【００２６】
排水パイプ６５は、傘部６３の裏側で排水口６３ｃに対応する位置に傘部６３と一体に形成されており、排水口６３ｃと連通する排水路６５ａを備えた筒状により構成されている。排水パイプ６５は、傘部６３からピボット軸４１の軸方向に沿ってピボットレバー４２側へ延出されており、排水パイプ６５の先端部６５ｂは、ピボットレバー４２よりも鉛直方向下方に位置している。これにより、排水パイプ６５の排水路６５ａは、ピボットレバー４２よりも鉛直下方位置にて開口されている。このように、排水パイプ６５の排水路６５ａがピボットレバー４２よりも鉛直下方位置にて開口されていると、排水パイプ６５から排出された水がピボットレバー４２に被ったり、ピボット軸４１とピボットホルダ５１との間に浸入したりすることを防止することが可能である。
【００２７】
排水パイプ６５の長手方向中央部よりも下側には、排水パイプ６５の延出方向と直交する方向に突出する連結部６６，６７が形成されている。連結部６６，６７は、ピボットレバー４２を挟持可能な一対の連結片６６ａ，６７ａと、連結片６６ａ，６７ａの先端部に互いに対向して形成された突起部６６ｂ，６７ｂとを有する一対の鉤状部材により構成されている。そして、連結片６６ａ，６７ａによってピボットレバー４２を挟持すると共に、突起部６６ｂ，６７ｂが連結孔４２ｂに係合されることにより、排水パイプ６５がピボットレバー４２に連結固定されている。
【００２８】
このように、本例では、排水パイプ６５がピボットレバー４２に連結されているので、ピボット軸４１および防水キャップ６１の往復回動に伴って、排水パイプ６５をピボットレバー４２と共にピボット軸４１の軸線回りに移動させることができる。従って、ピボット軸４１の往復回動時に排水パイプ６５がピボットレバー４２と干渉することを確実に防止することができるので、従来のように、排水パイプ６５をピボットレバー４２の揺動範囲から避けた位置に配置するなどの制約がない。これにより、例えば、排水パイプ６５をピボットレバー４２の近傍等に配置するなど、リンク機構３０およびワイパピボット４０の配置構成やピボットレバー４２の往復回動範囲などを自由に決めることが可能となるので、リンク機構３０およびワイパピボット４０のレイアウト上の自由度を従来に比して高めることが可能である。また、防水キャップ６１の固定部６２がピボット軸４１の外周面４１ｃに圧入固定されるだけでなく、排水パイプ６５においてもピボット軸４１と一体に往復回動するピボットレバー４２に連結されるため、固定部６２の圧入による固定力の低下を防止でき、しかもその圧入は液密なものであるためシール効果を有するが、このシール性の低下をも防止することができる。
【００２９】
また、本例では、排水パイプ６５をピボットレバー４２に連結するための連結手段が、ピボットレバー４２に形成された連結孔４２ｂと、排水パイプ６５に設けられた鉤状の連結部６６，６７とにより構成されている。そして、排水パイプ６５は、連結孔４２ｂに連結部６６，６７が係合されたことによってピボットレバー４２に連結される。従って、排水パイプに設けられた連結部６６，６７をピボットレバー４２に形成された連結孔４２ｂに係合させるという非常に簡単な組み付けにより、排水パイプ６５をピボットレバー４２に連結することが可能である。
【００３０】
そして、本例の防水キャップ６１には、排水パイプ６５と傘部６３とを接続するリブ６８が形成されている。従って、排水パイプ６５がピボットレバー４２と共にピボット軸４１の軸線回りに移動した場合でも、上述のように、排水パイプ６５と傘部６３とを接続するリブ６８を設けることにより、排水パイプ６５の変形等を防止できる。これにより、傘部６３に貯まった水を、排水パイプ６５を介して速やかに外部に排出することが可能となる。
【００３１】
以上、左側のワイパピボット４０について説明したが、右側のワイパピボット７０についても、その基本的構成および作用は左側のワイパピボット４０と同一である。従って、右側のワイパピボット７０についての詳細な説明については省略する。
【００３２】
そして、本例のモジュール型ワイパ装置１では、ワイパモータ２０の出力軸２２が往復回動すると、その往復回動によってクランクアーム３１、リンクロッド３２，３３を介してリンクレバーが往復揺動し、ピボット軸４１が所定の回動範囲を回動する。これにより、ワイパ８０が揺動してフロントウィンドウ９１の表面に付着した水滴や汚れを払拭することが可能である。このとき、フロントウィンドウ９１から滴り落ちる水がピボット孔９３を介して内部に浸入することがある。
【００３３】
しかしながら、本例では、上述のように、ピボット孔９３の鉛直下方に防水キャップ６１が設けられているので、ピボット孔９３から浸入した水がワイパモータ２０やリンク機構３０の連結部（例えば、ボールジョイント部）等へ飛散したり、ピボットホルダ５１の軸受部５２とピボット軸４１との間に入り込んだりすることを防止することが可能である。また、本例では、排水パイプ６５がピボットレバー４２に連結されピボットレバー４２と共にピボット軸４１の軸線回りを移動するので、傘部６３によって集められた水を、往復回動するピボットレバー４２を常に避けて排出させることが可能である。従って、ワイパピボット４０のシール性も十分に確保することが可能である。さらに、傘部６３で集められた水が排水口６３ｃから直接的に排出されるのではなく、排水パイプ６５によってピボット軸４１の軸方向下方にまで案内された後に排水パイプ６５の出口から排出されるので、ワイパモータ２０やリンク機構３０の連結部（例えば、ボールジョイント部）などへの飛水を確実に防止することが可能である。
【００３４】
（第二実施形態）
図５乃至図７は本発明の一実施形態を示す図で、図５はモジュール型ワイパ装置の概略構成を示す側面断面図、図６はピボット軸およびピボットホルダの構成を示す斜視図、図７は防水キャップの構成を示す斜視図である。
【００３５】
本発明の第二実施形態は、上記第一実施形態に係るピボットホルダ５１と防水キャップ６１の形状を変形させたものである。本発明の第二実施形態において、上記第一実施形態同じ構成については同一の符号を付し、その説明を省略する。
【００３６】
上記第一実施形態に係るワイパピボット４０では、ピボットレバー４２に四角状の連結孔４２ｂが形成され、排水パイプ６５に連結孔４２ｂに係合される連結部６６，６７が形成されていたが、本発明の第二実施形態に係るワイパピボット１４０では、ピボットレバー１４２に円形状の連結孔１４２ｂが形成されており、排水パイプ１６５が連結孔１４２ｂに軽圧入状態で挿入され固定される構成である。このように構成されていると、防水キャップ１６１の固定部６２をピボット軸４１の軸線に沿ってピボット軸４１の外周面４１ｃに固定させると同時に、排水パイプ１６５をピボットレバー１４２に形成された連結孔１４２ｂに挿入固定させることにより、排水パイプ１６５をピボットレバー１４２に連結することが可能となる。従って、排水パイプ１６５の組み付け作業を簡略化することが可能となる。
【００３７】
上記したように、本実施形態によれば、以下の効果を奏する。
（イ）本実施形態に係るワイパピボット４０（１４０）によれば、防水キャップ６１（１６１）に形成された固定部６２がピボット軸の外周面４１ｃに固定されているので、排水パイプ６５（１６５）を含む防水キャップ６１（１６１）全体をピボット軸４１の往復回動に伴ってピボット軸４１の軸線回りに往復回動させることができる。しかも、排水パイプ６５（１６５）がピボットレバー４２（１４２）に連結されているので、ピボット軸４１および防水キャップ６１（１６１）の往復回動に伴って、排水パイプ６５（１６５）をピボットレバー４２と共にピボット軸４１の軸線回りに移動させることができる。従って、ピボット軸４１の回動時に排水パイプ６５（１６５）がピボットレバー４２（１４２）と干渉することを確実に防止することができるので、従来のように、排水パイプ６５（１６５）をピボットレバー４２（１４２）の揺動範囲から避けた位置に配置するなどの制約がない。これにより、例えば、排水パイプ６５（１６５）をピボットレバー４２（１４２）の近傍等に配置するなど、リンク機構３０およびワイパピボット４０（１４０）の配置構成やピボットレバー４２（１４２）の往復回動範囲などを自由に決めることが可能となるので、リンク機構３０およびワイパピボット４０（１４０）のレイアウト上の自由度を従来に比して高めることが可能となる。また、防水キャップ６１（１６１）の固定部６２がピボット軸４１の外周面４１ｃに圧入固定されるだけでなく、排水パイプ６５（１６５）においてもピボット軸４１と一体に往復回動するピボットレバー４２（１４２）に連結されるため、固定部６２の圧入による固定力の低下を防止でき、しかもその圧入は液密なものであるためシール効果を有するが、このシール性の低下をも防止することができる。
【００３８】
（ロ）本実施形態に係るワイパピボット４０（１４０）によれば、排水パイプ６５（１６５）がピボットレバー４２（１４２）に連結されピボットレバー４２（１４２）と共にピボット軸４１の軸線回りを移動するので、傘部６３によって集められた水を、往復回動するピボットレバー４２（１４２）を常に避けて排出させることが可能となる。さらに、傘部６３で集められた水が排水口６３ｃから直接的に排出されるのではなく、排水パイプ６５（１６５）によってピボット軸４１の軸方向下方にまで案内された後に排水パイプ６５（１６５）の出口から排出されるので、ワイパモータ２０やリンク機構３０の連結部（例えば、ボールジョイント部）などへの飛水を防止することが可能となる。
【００３９】
（ハ）本実施形態に係るワイパピボット４０（１４０）によれば、排水路６５ａがピボットレバー４２（１４２）よりも鉛直下方位置にて開口されているので、排水パイプ６５（１６５）から排出された水がピボットレバー４２（１４２）に被ったり、ピボット軸４１とピボットホルダ５１との間に浸入したりすることを防止することが可能となる。これにより、例えば、ピボットレバー４２（１４２）のリンク機構３０との連結部に塗布されたグリースの流出やピボットホルダ５１の軸受部５２に錆が発生することなどを確実に防止することが可能となる。
【００４０】
（ニ）本発明の第一実施形態に係るワイパピボット４０によれば、排水パイプ６５に設けられた連結部６６，６７をピボットレバー４２に形成された連結孔４２ｂに係合させるという非常に簡単な組み付けにより、排水パイプ６５をピボットレバー４２に連結することが可能である。また、本発明の第二実施形態に係るワイパピボット１４０によれば、防水キャップ１６１の固定部６２をピボット軸４１の軸線に沿ってピボット軸４１の外周面４１ｃに固定させると同時に、排水パイプ１６５をピボットレバー１４２に形成された連結孔１４２ｂに挿入させることにより、排水パイプ１６５をピボットレバー１４２に連結することが可能である。従って、排水パイプ１６５の組み付け作業を簡略化することが可能である。
【００４１】
（ホ）本実施形態に係るワイパピボット４０（１４０）によれば、防水キャップ６１（１６１）が、例えば、黒色やボディの色と合わせた色などに着色された樹脂材料により構成されている。従って、外部からピボット孔９３を介して防水キャップ６１（１６１）が見えたときに、防水キャップ６１（１６１）を周囲の色とマッチさせることができるので、見栄えを向上させることが可能である。
【００４２】
なお、本発明の実施の形態は、以下のように改変することができる。
（１）上記実施形態では、連結部６６，６７と係合する連結孔４２ｂをピボットレバー４２の板厚方向に貫通する貫通孔により構成したが、本発明はこれに限定されるものではない。その他にも、ピボットレバー４２におけるピボット軸４１の軸線と平行な軸線上に開口を有する連結凹部を設け、この連結凹部に連結部６６，６７が係合される構成であっても良い。
【００４３】
（２）上記実施形態では、排水パイプ６５（１６５）が直線状の筒状体により構成されるように説明したが、本発明はこれに限定されるものではない。その他にも、排水パイプ６５（１６５）はピボットレバー４２（１４２）やリンク機構３０等を避けるように湾曲した形状であっても良い。
【００４４】
（３）上記実施形態では、傘部６３が略円形状に形成されるように説明したが、本発明はこれに限定されるものではない。その他にも、ピボット孔９３から滴下した水を受け止めることができれば、傘部６３が任意の形状により形成されていても良い。
【００４５】
（４）上記第一実施形態では、本発明に係る連結手段が、ピボットレバー４２に形成された連結孔４２ｂと、排水パイプ６５に形成され連結孔４２ｂに係合される鉤状の連結部６６，６７とにより構成され、上記第二実施形態では、本発明に係る連結手段が、ピボットレバー１４２に形成され排水パイプ１６５を挿入固定可能な連結孔１４２ｂにより構成されていたが、本発明はこれらに限定されるものではない。ピボットレバー４２と排水パイプ６５とを連結することができれば、連結手段が任意の形状により構成されていても良いことは勿論である。例えば、一対の連結部６６，６７のうち連結部６７を省いた構成とし、連結部６６をピボットレバー４２に形成された連結孔４２ｂに係合する構成により連結手段を構成しても良い。
【図面の簡単な説明】
【００４６】
【図１】本発明の第一実施形態に係るモジュール型ワイパ装置の概略構成を示す平面図である。
【図２】本発明の第一実施形態に係るモジュール型ワイパ装置の概略構成を示す側面断面図である。
【図３】本発明の第一実施形態に係るピボット軸およびピボットホルダの構成を示す斜視図である。
【図４】本発明の第一実施形態に係る防水キャップの構成を示す斜視図である。
【図５】本発明の第二実施形態に係るモジュール型ワイパ装置の概略構成を示す側面断面図である。
【図６】本発明の第二実施形態に係るピボット軸およびピボットホルダの構成を示す斜視図である。
【図７】本発明の第二実施形態に係る防水キャップの構成を示す斜視図である。
【符号の説明】
【００４７】
１  モジュール型ワイパ装置、１０  パイプフレーム、２０  ワイパモータ、２１  取付部、２２  出力軸、３０  リンク機構、３１  クランクアーム、３２，３３  リンクロッド、４０，７０，１４０  ワイパピボット、４１  ピボット軸、４１ａ  先端部、４１ｂ  後端部、４１ｃ  外周面、４２，１４２  ピボットレバー、４２ａ  連結ピン、４２ｂ，１４２ｂ  連結孔、５１  ピボットホルダ、５２  軸受部、５２ａ  上端面、５２ｂ  上端外周部、５３  フレーム連結部、５４  取付片、６１，１６１  防水キャップ、６２  固定部、６２ａ  圧入孔、６３  傘部、６３ａ  底壁、６３ｂ  下り斜面、６３ｃ  排水口、６３ｄ  周壁、６３ｅ  開口、６４  軸受シール部、６４ａ  凹部、６５，１６５  排水パイプ、６５ａ  排水路、６５ｂ  先端部、６６，６７  連結部、６６ａ，６７ａ  連結片、６６ｂ，６７ｂ  突起部、６８  リブ、７０  ワイパピボット、７２  ピボットレバー、８０  ワイパ、９０  車両、９１  フロントウィンドウ、９２  カウルトップパネル、９３  ピボット孔、９４  固定部、９５  固着具
【図１】
2005324710.tif 000003
【図２】
2005324710.tif 000004
【図３】
2005324710.tif 000005
【図４】
2005324710.tif 000006
【図５】
2005324710.tif 000007
【図６】
2005324710.tif 000008
【図７】
2005324710.tif 000009